【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
複製動作を実施するための要求を受信する前に、バックアップ動作の実施中に情報を記録することであって、
前記情報が、バックアップストリームに関連付けられ、
前記情報が、ソースサーバによって記録され、
前記情報が、複数の命令を含み、
前記複数の命令が、複製動作を実施するときに、以前に複製されたデータ（既存データ）を含めるためのインクルード命令、及び、前記複製動作を実施するときに、以前に複製されなかった新たなデータ（新たなデータ）を書き込むための書き込み命令を含む、記録することと、
前記情報を記録することに続いて、前記複製動作を実施するための前記要求を受信することと、
前記複製動作を実施するための前記要求を受信することに続いて、前記新たなデータを含む複製ストリームを生成することと、
前記複製ストリームを生成することに続いて、前記要求に応答して、前記情報を、前記複製動作の実施の一部として、ターゲットサーバに送信することであって、
前記情報が、前記複製ストリームにおける第１のオフセット範囲で、前記既存データを含めるための第１の命令、及び、前記複製ストリームにおける第２のオフセット範囲で、前記新たなデータを含めるための第２の命令をさらに含む、送信することと、を含む、方法。
【請求項２】
前記既存データが、複製されたバックアップイメージに含まれ、
前記複製されたバックアップイメージが、前記ターゲットサーバによって記憶され、
前記新たなデータ及び前記情報が、ソースバックアップイメージに含まれ、
前記ソースバックアップイメージが、前記バックアップ動作の一部として前記ソースサーバによって記憶される、請求項１に記載の方法。
【請求項３】
前記複製動作を実施するための前記要求を受信すると、
前記新たなデータを含む複製ストリームを生成することと、
前記複製ストリームを前記ターゲットサーバに送信することと、を更に含む、請求項２に記載の方法。
【請求項４】
前記ソースサーバが、ソースストレージデバイスを実行し、
前記ソースストレージデバイスが、前記バックアップストリーム及び前記情報を記憶し、
前記ターゲットサーバが、ターゲットストレージデバイスを実行し、
前記ターゲットストレージデバイスが、前記複製されたバックアップイメージを記憶し、
前記ソースストレージデバイス及び前記ターゲットストレージデバイスが異種である、請求項２に記載の方法。
【請求項５】
含められる前記既存データは、前記複製されたバックアップイメージからのものであり、
前記複製されたバックアップイメージに書き込まれる前記新たなデータは、前記ソースバックアップイメージからのものである、請求項３に記載の方法。
【請求項６】
前記複製ストリーム及び前記バックアップストリームが、共通フォーマットを共有する、請求項３に記載の方法。
【請求項７】
前記共通フォーマットが、オープンストレージ技術（ＯＳＴ）のアプリケーションプログラミングインターフェース（ＡＰＩ）を実行するプラグインによって容易にされる、請求項６に記載の方法。
【請求項８】
１つ以上の後続のバックアップ動作の実施中に、前記情報を更新することを更に含む、請求項１に記載の方法。
【請求項９】
プログラム命令を含む非一時的コンピュータ可読ストレージ媒体であって、前記プログラム命令が、
複製動作を実施するための要求を受信する前に、バックアップ動作の実施中に、情報を記録することであって、
前記情報が、バックアップストリームに関連付けられ、
前記情報が、ソースサーバによって記録され、
前記情報が、複数の命令を含み、
前記複数の命令が、複製動作を実施するときに、以前に複製されたデータ（既存データ）を含めるためのインクルード命令、及び、前記複製動作を実施するときに、以前に複製されなかった新たなデータ（新たなデータ）を書き込むための書き込み命令を含む、記憶することと、
前記情報を記録することに続いて、前記複製動作を実施するための前記要求を受信することと、
前記複製動作を実施するための前記要求を受信することに続いて、前記新たなデータを含む複製ストリームを生成することと、
前記複製ストリームを生成することに続いて、前記要求に応答して、前記情報を、前記複製動作の実施の一部としてターゲットサーバに送信することであって、
前記情報が、前記複製ストリームにおける第１のオフセット範囲で、前記既存データを含めるための第１の命令、及び、前記複製ストリームにおける第２のオフセット範囲で、前記新たなデータを含めるための第２の命令をさらに含む、送信することと、を実行することが可能である、非一時的コンピュータ可読ストレージ媒体。
【請求項１０】
前記既存データが、複製されたバックアップイメージに含まれ、
前記複製されたバックアップイメージが、前記ターゲットサーバによって記憶され、
前記新たなデータ及び前記情報が、ソースバックアップイメージに含まれ、
前記ソースバックアップイメージが、前記バックアップ動作の一部として前記ソースサーバによって記憶される、請求項９に記載の非一時的コンピュータ可読ストレージ媒体。
【請求項１１】
前記複製動作を実施するための前記要求を受信すると、
前記新たなデータを含む複製ストリームを生成することと、
前記複製ストリームを前記ターゲットサーバに送信することと、を更に含む、請求項１０に記載の非一時的コンピュータ可読ストレージ媒体。
【請求項１２】
前記ソースサーバが、ソースストレージデバイスを実行し、
前記ソースストレージデバイスが、前記バックアップストリーム及び前記情報を記憶し、
前記ターゲットサーバが、ターゲットストレージデバイスを実行し、
前記ターゲットストレージデバイスが、前記複製されたバックアップイメージを記憶し、
前記ソースストレージデバイス及び前記ターゲットストレージデバイスが異種である、請求項１０に記載の非一時的コンピュータ可読ストレージ媒体。
【請求項１３】
含められる前記既存データは、前記複製されたバックアップイメージからのものであり、
前記複製されたバックアップイメージに書き込まれる前記新たなデータは、前記ソースバックアップイメージからのものである、請求項１１に記載の非一時的コンピュータ可読ストレージ媒体。
【請求項１４】
前記複製ストリーム及び前記バックアップストリームが、共通フォーマットを共有し、
前記共通フォーマットが、オープンストレージ技術（ＯＳＴ）のアプリケーションプログラミングインターフェース（ＡＰＩ）を実行するプラグインによって容易にされる、請求項１１に記載の非一時的コンピュータ可読ストレージ媒体。
【請求項１５】
１つ以上のプロセッサと、
前記１つ以上のプロセッサに接続されているメモリと、を備え、前記メモリが、
複製動作を実施するための要求を受信する前に、バックアップ動作の実施中に、情報を記録することであって、
前記情報が、バックアップストリームに関連付けられ、
前記情報が、ソースサーバによって記録され、
前記情報が、複数の命令を含み、
前記複数の命令が、複製動作を実施するときに、以前に複製されたデータ（既存データ）を含めるためのインクルード命令、及び、前記複製動作を実施するときに、以前に複製されなかった新たなデータ（新たなデータ）を書き込むための書き込み命令を含む、記憶することと、
前記情報を記録することに続いて、前記複製動作を実施するための前記要求を受信することと、
前記複製動作を実施するための前記要求を受信することに続いて、前記新たなデータを含む複製ストリームを生成することと、
前記複製ストリームを生成することに続いて、前記要求に応答して、前記情報を、前記複製動作の実施の一部としてターゲットサーバに送信することであって、
前記情報が、前記複製ストリームにおける第１のオフセット範囲で、前記既存データを含めるための第１の命令、及び、前記複製ストリームにおける第２のオフセット範囲で、前記新たなデータを含めるための第２の命令をさらに含む、送信することと、を行うための、前記１つ以上のプロセッサによって実行可能なプログラム命令を記憶している、システム。
【請求項１６】
前記既存データが、複製されたバックアップイメージに含まれ、
前記複製されたバックアップイメージが、前記ターゲットサーバによって記憶され、
前記新たなデータ及び前記情報が、ソースバックアップイメージに含まれ、
前記ソースバックアップイメージが、前記バックアップ動作の一部として前記ソースサーバによって記憶される、請求項１５に記載のシステム。
【請求項１７】
前記複製されたバックアップイメージと前記情報とを比較することと、
前記新たなデータを含む複製ストリームを生成することと、
前記複製ストリームを前記ターゲットサーバに送信することと、を更に含む、請求項１６に記載のシステム。
【請求項１８】
前記ソースサーバが、ソースストレージデバイスを実行し、
前記ソースストレージデバイスが、前記バックアップストリーム及び前記情報を記憶し、
前記ターゲットサーバが、ターゲットストレージデバイスを実行し、
前記ターゲットストレージデバイスが、前記複製されたバックアップイメージを記憶し、
前記ソースストレージデバイス及び前記ターゲットストレージデバイスが異種である、請求項１６に記載のシステム。
【請求項１９】
含められる前記既存データは、前記複製されたバックアップイメージからのものであり、
前記複製されたバックアップイメージに書き込まれる前記新たなデータは、前記ソースバックアップイメージからのものである、請求項１７に記載のシステム。
【請求項２０】
前記複製ストリーム及び前記バックアップストリームが、共通フォーマットを共有し、
前記共通フォーマットが、オープンストレージ技術（ＯＳＴ）のアプリケーションプログラミングインターフェース（ＡＰＩ）を実行するプラグインによって容易にされる、請求項１７に記載のシステム。